(57)【要約】【課題】金属部品の擦れ合いによる異常音の発生がなく、またがたつきの少ない高品質の炊飯器を提供する。【解決手段】ヒータカバー(3)と、内胴(20)の底部(23)と、内胴取付板(33)とは、最終締付位置における各固定ネジ(1)によって、内胴(20)の底部(23)が内胴取付板(33)に密に固定される少なくとも一つの内胴固定部と、内胴固定部よりも多く設けられ且つ内胴(20)の底部(23)が内胴取付板(33)に遊びをもって固定される内胴非固定部とで接続されている。【選択図】図２
2017217146.tif 000002
【特許請求の範囲】
【請求項１】
上ケースの下方の下枠部に固定される内胴取付板と、前記上ケース内に一体的に収容され且つ前記内胴取付板の上方に配設される内胴と、前記内胴の底部の上面に配設される底ヒータと、前記底ヒータの上方を覆うように配設されるヒータカバーとを備え、前記内胴取付板と、前記内胴の底部と、前記ヒータカバーとが下方から順に重ね合わされた状態で、ヒータカバー側から複数の固定ネジで締結されている炊飯器であって、
前記固定ネジは、頭部と、前記頭部から下方に延設され且つ前記頭部より小径の軸部と、前記軸部から下方に延設され且つ前記軸部よりも小径のネジ径を有するネジ軸部とを有し、
前記内胴取付板には、前記固定ネジのネジ軸部が螺合可能な複数のネジ孔が設けられ、
前記内胴の底部の、前記ネジ孔に対応する各位置には、前記ネジ孔よりも大径な下ネジ挿通孔が設けられ、
前記ヒータカバーの、前記下ネジ挿通孔に対応する各位置には、前記固定ネジの頭部よりも小径な上ネジ挿通孔が設けられ、
前記ヒータカバーと、前記内胴の底部と、前記内胴取付板とは、最終締付位置における前記各固定ネジによって、前記内胴の底部が前記内胴取付板に密に固定される少なくとも一つの内胴固定部と、前記内胴固定部よりも多く設けられ且つ前記内胴の底部が前記内胴取付板に遊びをもって固定される内胴非固定部とで接続されている炊飯器。
【請求項２】
請求項１に記載の炊飯器において、
前記内胴非固定部では、前記内胴の底部と前記ヒータカバーとの間、及び、前記内胴取付板と前記ヒータカバーとの間にそれぞれ隙間が形成されるようにした炊飯器。
【請求項３】
請求項１または２に記載の炊飯器において、
前記下ネジ挿通孔のうち、少なくとも１つは、前記固定ネジの軸部よりも小径の小下ネジ挿通孔とし、他は、前記固定ネジの軸部よりも大径の大下ネジ挿通孔とし、
前記内胴取付板と前記内胴の底部とは、
前記内胴固定部にて、前記内胴の底部の小下ネジ挿通孔の周縁部の上面に当接する前記固定ネジの軸部の下端で、前記内胴の底部の小下ネジ挿通孔の周縁部が前記内胴取付板に押圧され、
前記内胴非固定部にて、前記内胴の底部の大下ネジ挿通孔を挿通した前記固定ネジの軸部の下端が、前記内胴の底部の上面に当接せずに前記内胴取付板のネジ孔の周縁部の上面に当接するように設定されている炊飯器。
【請求項４】
請求項１から３のいずれか１項に記載の炊飯器において、
前記内胴固定部では、前記固定ネジの頭部と前記ヒータカバーとの間に、隙間が形成される炊飯器。
【請求項５】
請求項３または４に記載の炊飯器において、
前記内胴の底部は、前記大下ネジ挿通孔の内周縁部に上方に凸の上立ち上がり部を有し、
前記ヒータカバーは、前記大下ネジ挿通孔に対応する位置の前記上ネジ挿通孔の内周縁部に下方に凸の下立ち上がり部を有し、
前記内胴固定部では、前記下立ち上がり部の下端が前記内胴の底部の上面に当接するように設定され、
前記内胴非固定部では、前記上立ち上がり部の上端と前記ヒータカバーの下面との間及び前記下立ち上がり部の下端と前記内胴取付板の上面との間にそれぞれ隙間が形成されている炊飯器。
【発明の詳細な説明】
【技術分野】
【０００１】
本発明は、炊飯器、特に、炊飯釜の底部に保温用の底ヒータが設けられている保温式炊飯器の部品固定構造に関する。
【背景技術】
【０００２】
図４は、底ヒータ(H)を有する保温式炊飯器の構成部品の一部を示す分解斜視図であり、上下に開放する略円筒状の上ケース(41)とその下方に取外し自在に連設される下枠部(42)とから炊飯器の本体ケース(40)が構成されている。下枠部(42)には、図示しないが、加熱源としてのガスバーナが収容され、その上方開放部を覆うように内胴取付板(33)が配設されると共に、その周縁に設けた複数の脚部(34)によって下枠部(42)の所定個所にネジ止めされて固定される。
【０００３】
内胴取付板(33)の上方には、有底筒状の内胴(30)が載置されると共に、内胴(30)の底部の上面に環状の底ヒータ(H)がセットされ、さらに、底ヒータ(H)を覆うように、皿状のヒータカバー(3)がセットされる。ヒータカバー(3)、内胴(30)の底部及び内胴取付板(33)には、前記ガスバーナの炎孔部を突出させるための開口(3a)(30a)(33a)がそれぞれ同心円状に形成されており、ヒータカバー(3)の上方に載置されるように、丸型の炊飯釜(4)が内胴(30)内に収容される。
【０００４】
これら内胴取付板(33)、内胴(30)の底部及びヒータカバー(3)は、各々の開口(33a)(30a)(3a)周縁部の複数箇所にて、図５に示すように、それぞれ固定ネジ(1)で一体的に締結されている。
固定ネジ(1)は、例えば、工具を対応させる頭部(10)と、頭部(10)の下端から外方に張り出させたフランジ部(11)と、フランジ部(11)の下方に延設され且つフランジ部(11)より小径な軸部(12)と、軸部(12)の下方に延設されたネジ軸部(13)とを有する、所謂段付ネジが用いられる。
【０００５】
ヒータカバー(3)には、フランジ部(11)より小径で且つ軸部(12)より大径な上ネジ挿通孔(31)が、内胴(30)の底部には、軸部(12)よりも小径で且つネジ軸部(13)が挿通可能な下ネジ挿通孔(32)が、内胴取付板(33)には、ネジ軸部(13)が螺合可能なネジ孔(33b)が、それぞれ形成されている。
上記構成を備えた炊飯器を組み立てる場合、内胴取付板(33)のネジ孔(33b)、内胴(30)の下ネジ挿通孔(32)、ヒータカバー(3)の上ネジ挿通孔(31)を上下に重ね合わせ、固定ネジ(1)をヒータカバー(3)の上ネジ挿通孔(31)側から挿通させ、ネジ軸部(13)をネジ孔(33b)に螺合させて最終締付位置に達するまで締め付ける。すると、軸部(12)の下端で、内胴(30)の下ネジ挿通孔(32)の周縁部が、内胴取付板(33)のネジ孔(33b)の周縁部に圧接されて、内胴(30)が内胴取付板(33)に強固に固定されると共に、ヒータカバー(3)の上ネジ挿通孔(31)の周縁部がフランジ部(11)により抜け止め状態となる。これにより、ヒータカバー(3)と内胴(30)と内胴取付板(33)とが一体的に締結される。
【先行技術文献】
【特許文献】
【０００６】
【特許文献１】特開２００１−３７６３２号公報
【特許文献２】特開２０１０−２３０１９２号公報
【特許文献３】特開２０１６−２５７０１号公報
【発明の概要】
【発明が解決しようとする課題】
【０００７】
ところで、内胴(30)及び内胴取付板(33)は、共に金属製材料から形成されているため熱変形し易い。特に、内胴(30)の底部には底ヒータ(H)が直接配設されているため、熱変形による内胴(30)の底部の膨張・収縮は、内胴(30)の下方に位置する内胴取付板(33)のそれよりも大きくなる。一方、上記のように内胴取付板(33)と内胴(30)の底部とは、固定ネジ(1)によって複数箇所で強固に固定されているから、固定ネジ(1)による固定部において、内胴(30)の底部に大きな熱変形が生じると、内胴(30)と内胴取付板(33)の金属相互が強い摩擦力で擦れ合い、異常音が生じるという問題がある。
熱変形による内胴(30)の底部の膨張・収縮を許容するために、内胴(30)の底部が内胴取付板(33)に強固に固定されないように、固定ネジ(1)を比較的緩めに締め付けておくことも考えられるが、本体ケース(40)の下枠部(42)に固定されている内胴取付板(33)への、内胴(20)やヒータカバー(3)の固定度合いが緩いと、内胴取付板(33)に対して内胴(20)やヒータカバー(3)が上下動し、部品のがたつきが生じると共に、下枠部(42)に対して上ケース(41)ががたつくといった問題がある。
【０００８】
本発明は、上記問題点に鑑みてなされたものであり、内胴取付板と、内胴の底部と、ヒータカバーとが重ね合わされた状態で、上方から複数の固定ネジで締結されている炊飯器において、部品のがたつきを防止しつつ、熱変形による異常音の発生を抑えることを課題とする。
【課題を解決するための手段】
【０００９】
上記課題を解決するために講じた本発明の解決手段は、
上ケースの下方の下枠部に固定される内胴取付板と、前記上ケース内に一体的に収容され且つ前記内胴取付板の上方に配設される内胴と、前記内胴の底部の上面に配設される底ヒータと、前記底ヒータの上方を覆うように配設されるヒータカバーとを備え、前記内胴取付板と、前記内胴の底部と、前記ヒータカバーとが下方から順に重ね合わされた状態で、ヒータカバー側から複数の固定ネジで締結されている炊飯器であって、
前記固定ネジは、頭部と、前記頭部から下方に延設され且つ前記頭部より小径の軸部と、前記軸部から下方に延設され且つ前記軸部よりも小径のネジ径を有するネジ軸部とを有し、
前記内胴取付板には、前記固定ネジのネジ軸部が螺合可能な複数のネジ孔が設けられ、
前記内胴の底部の、前記ネジ孔に対応する各位置には、前記ネジ孔よりも大径な下ネジ挿通孔が設けられ、
前記ヒータカバーの、前記下ネジ挿通孔に対応する各位置には、前記固定ネジの頭部よりも小径な上ネジ挿通孔が設けられ、
前記ヒータカバーと、前記内胴の底部と、前記内胴取付板とは、最終締付位置における前記各固定ネジによって、前記内胴の底部が前記内胴取付板に密に固定される少なくとも一つの内胴固定部と、前記内胴固定部よりも多く設けられ且つ前記内胴の底部が前記内胴取付板に遊びをもって固定される内胴非固定部とで接続されている炊飯器である。
【００１０】
上記技術的手段は次のように作用する。
内胴取付板と、内胴の底部と、ヒータカバーとは、各固定ネジを最終締付位置に達するまで締め付けると、少なくとも一つの内胴固定部にて、下枠部に固定されている内胴取付板に、上ケース内に一体的に収容されている内胴の底部を密に固定することができるので、部品のがたつきを防止することができる。また、これ以外の内胴非固定部では、内胴取付板と、内胴の底部と、ヒータカバーとは、内胴の底部が内胴取付板に遊びをもって固定されるようにしたから、底ヒータによる熱変形によって、内胴の底部が内胴取付板に比べて大きく膨張・収縮しても、内胴の底部と内胴取付板とが擦れ合って異常音が発生する不都合を防止できる。前記内胴固定部よりも内胴非固定部を多く設けることにより、内胴の底部と内胴取付板とが擦れ合わない範囲を多くすることができる。
【００１１】
上記炊飯器において、好ましくは、
前記内胴非固定部では、前記内胴の底部と前記ヒータカバーとの間、及び、前記内胴取付板と前記ヒータカバーとの間にそれぞれ隙間が形成されるようにした。
【００１２】
上記炊飯器によれば、内胴非固定部で、内胴の底部とヒータカバーとの間及び内胴取付板と前記ヒータカバーとの間にそれぞれ、隙間が形成されているから、内胴の底部と内胴取付板との擦れ合いだけでなく、内胴取付板とヒータカバーとの擦れ合いも防止できる。
【００１３】
上記炊飯器において、好ましくは、
前記下ネジ挿通孔のうち、少なくとも１つは、前記固定ネジの軸部よりも小径の小下ネジ挿通孔とし、他は、前記固定ネジの軸部よりも大径の大下ネジ挿通孔とし、
前記内胴取付板と前記内胴の底部とは、
前記内胴固定部にて、前記内胴の底部の小下ネジ挿通孔の周縁部の上面に当接する前記固定ネジの軸部の下端で、前記内胴の底部の小下ネジ挿通孔の周縁部が前記内胴取付板に押圧されるように設定されており、
前記内胴非固定部にて、前記内胴の底部の大下ネジ挿通孔を挿通した前記固定ネジの軸部の下端が、前記内胴の底部の上面に当接せずに前記内胴取付板のネジ孔の周縁部の上面に当接するように設定されている。
【００１４】
上記炊飯器によれば、内胴の底部の、内胴取付板のネジ孔に対応する位置に、固定ネジの軸部よりも小径な小下ネジ挿通孔を少なくとも１つ有しているから、小下ネジ挿通孔に対応するヒータカバーの上ネジ挿通孔から固定ネジを挿通させ、固定ネジのネジ軸を内胴取付板のネジ孔に螺合させていくと、固定ネジの最終締付位置では、固定ネジの軸部の下端は、内胴の底部の小下ネジ挿通孔の周縁部の上面に当接し、内胴の底部を下方の内胴取付板に押圧させる。これにより、内胴の底部の下ネジ挿通孔の周縁部は、固定ネジの軸部の下端と内胴取付板の上面との間で挟持されるから、固定ネジによって、内胴の底部が内胴取付板に強固に固定される内胴固定部を形成できる。
また、内胴の底部に、固定ネジの軸部よりも大径な大下ネジ挿通孔が形成されている箇所においては、大下ネジ挿通孔に対応するヒータカバーの上ネジ挿通孔から固定ネジを挿通させ、固定ネジのネジ軸を内胴取付板のネジ孔に螺合させていくと、固定ネジの最終締付位置では、固定ネジの軸部は大ネジ挿通孔を挿通して、内胴の底部の上面に当接せず、内胴取付板の上面に当接する。これにより、固定ネジによって内胴の底部が内胴取付板に固定されていない内胴非固定部を形成できる。
このように、各固定ネジを最終締付位置に達するまで締め付けるだけで、内胴の底部と内胴取付板との間に、内胴固定部又は内胴非固定部をそれぞれ形成することができるから、従来と同様な固定ネジによる固定作業により、部品相互の擦れ合いによる異常音の発生が抑制され且つ部品相互ががたつくことのない炊飯器を提供することができる。
【００１５】
上記炊飯器において、好ましくは、
前記内胴固定部では、前記固定ネジの頭部と前記ヒータカバーとの間に、隙間が形成される。
上記炊飯器によれば、内胴固定部では、固定ネジによって内胴の底部が内胴取付板と固定されているが、固定ネジの頭部とヒータカバーとの間には、隙間が形成されているから、固定ネジとヒータカバーとの擦れ合いを防止できる。
【００１６】
上記炊飯器において、好ましくは、
前記内胴の底部は、前記大下ネジ挿通孔の内周縁部に上方に凸の上立ち上がり部を有し、
前記ヒータカバーは、前記大下ネジ挿通孔に対応する位置の前記上ネジ挿通孔の内周縁部に下方に凸の下立ち上がり部を有し、
前記内胴固定部では、前記下立ち上がり部の下端が前記内胴の底部の上面に当接するように設定され、
前記内胴非固定部では、前記上立ち上がり部の上端と前記ヒータカバーの下面との間及び前記下立ち上がり部の下端と前記内胴取付板の上面との間にそれぞれ隙間が形成されている。
【００１７】
上記炊飯器によれば、内胴の底部は、大下ネジ挿通孔の内周縁部に上方に凸の上立ち上がり部を有し、ヒータカバーは、大下ネジ挿通孔に対応する位置の上ネジ挿通孔の内周縁部に下方に凸の下立ち上がり部を有しているから、内胴非固定部における内胴の底部とヒータカバーとの移動域を小さくできる。また、内胴非固定部では、上立ち上がり部の上端とヒータカバーの下面との間及び下立ち上がり部の下端と内胴取付板の上面との間にはそれぞれ、隙間が形成されているから、近接した内胴の底部とヒータカバーとが接触することもない。これにより、内胴の底部と内胴取付板との擦れ合いを防止しつつ、内胴非固定部における部品のがたつきをより防止できる。さらに、内胴固定部では、下立ち上がり部の下端が内胴の底部の上面と当接しているから、部品のがたつきをより一層防止できる。
【発明の効果】
【００１８】
以上のように、本発明によれば、内胴取付板と、内胴の底部と、ヒータカバーとが下方から順に重ね合わされた状態で、上方のヒータカバー側から複数の固定ネジで締結されている炊飯器において、少なくとも１つの内胴固定部においては、内胴の底部と内胴取付板とが固定ネジで強固に固定されているから、部品のがたつきは抑えられる。また、内胴非固定部においては、内胴の底部が内胴取付板に対して遊びをもって固定されているため、熱変形による内胴の底部の膨張・収縮度合いが内胴取付板と大きく異なっても、内胴の底部と内胴取付板との擦れ合うことはなく、異常音の発生を抑制することができる。この内胴非固定部を内胴固定部よりも多く設けておくことで、部品相互が擦れ合う際の発生する異常音は小さくなり、使用者の不快感は低減される。このように、本発明によれば、部品ががたつくことのなく高品質で且つ異常音の発生が抑えられた炊飯器を提供することができる。
【図面の簡単な説明】
【００１９】
【図１】本発明の実施の形態の炊飯器の要部分解斜視図である。
【図２】本発明の実施の形態の炊飯器の組み付け状態における内胴非固定部を示す断面図である。
【図３】本発明の実施の形態の炊飯器の組み付け状態における内胴固定部を示す断面図である。
【図４】従来の炊飯器の要部分解斜視図である。
【図５】従来の炊飯器の要部拡大断面図である。
【発明を実施するための形態】
【００２０】
以下、本発明を実施するための形態について添付図面を参照しながら説明する。
本発明の実施の形態に係る炊飯器は、例えば、炊飯釜の下方に保温用底ヒータを具備させた保温式ガス炊飯器に採用されるものであり、図４に示した従来例のものと同様に、本体ケース(40)は上ケース(41)と下枠部(42)とから構成されており、下枠部(42)の上方開放部を覆うように内胴取付板(33)が、脚部(34)を介して下枠部(42)に固定ネジ（図示せず）でネジ止めされている。
上ケース(41)内における内胴取付板(33)の上方には、図１に示す内胴(20)が配設され、後述するように、内胴(20)の底部(23)が内胴取付板(33)に固定ネジ(1)で締結されることにより、上ケース(41)は内胴(20)が内挿固定されると共に、下枠部(42)に取り付けられる。
なお、本実施の形態では、内胴取付板(33)及び後述するヒータカバー(3)は鍍金加工された鉄板から形成されており、内胴(20)はほうろう加工された鉄板により形成されている。
【００２１】
内胴取付板(33)及び内胴(20)の底部(23)の中央部には、下枠部(42)に収容させるガスバーナの炎孔部（図示せず）を突出させるための開口(33a)(20a)がそれぞれ形成されている。
内胴(20)の底部(23)には、開口(20a)の周縁部の内周側で下方に突出する環状の段差部が設けられており、段差部には、略環状体からなる底ヒータ(H)が略接触状態に取り付けられている。また、底ヒータ(H)の上方には、中央部に開口(3a)が形成された環状のヒータカバー(3)が配設されている。
底ヒータ(H)は、例えば、シーズヒータが採用され、内胴(20)の底部(23)の開口(20a)の周縁部の上面に沿った略Ｃ字状部と、この開放端から開口(20a)を通って垂下する一対の脚部(H1)とから構成される。
【００２２】
内胴取付板(33)の開口(33a)の周縁部には、固定ネジ(1)のネジ軸部(13)が螺合可能なネジ孔(33b)が複数箇所（本実施の形態では、３箇所）、同径で形成されている。ネジ孔(33b)の周縁部には、内胴取付板(33)の下面よりも下方にネジ筒部が形成されるように、バーリング加工により下方に凸の突出部が形成されている。また、ネジ孔(33b)はいずれも、固定ネジ(1)の軸部(12)よりも小径に形成されており、後述するように２箇所で、固定ネジ(1)の軸部(12)の下端がネジ孔(33b)の周縁部の上面に当接するように構成されている。
【００２３】
内胴(20)の開口(20a)の周縁部の底部(23)には、内胴(20)と内胴取付板(33)とが上下に重ね合わせられたとき、内胴取付板(33)のネジ孔(33b)のそれぞれに対応する位置に、径の異なる大及び小下ネジ挿通孔(2)(22)が形成されている（本実施の形態では、２箇所の大下ネジ挿通孔(2)と１箇所の小下ネジ挿通孔(22)）。
小下ネジ挿通孔(22)は、図３に示すように、固定ネジ(1)の軸部(12)よりも小径に形成されている。
これに対し、大下ネジ挿通孔(2)は、図２に示すように、固定ネジ(1)の軸部(12)よりも大径に形成されており、その内周縁部には、バーリング加工により内胴(20)の底部(23)の上面から上方に凸の上立ち上がり部(21)が形成されている。上立ち上がり部(21)の内径は、後述するヒータカバー(3)の、上ネジ挿通孔(31)の周縁部に設けられる下立ち上がり部(31a)の外径よりも大きく形成されている。さらに、上立ち上がり部(21)は、固定ネジ(1)の最終締付位置で、上端がヒータカバー(3)の下面に当接しない高さに形成されている。
なお、小下ネジ挿通孔(22)の周縁部にも、大下ネジ挿通孔(2)の周縁部と同様に、バーリング加工により上立ち上がり部を形成してもよい。
【００２４】
ヒータカバー(3)の開口(3a)の周縁部には、ヒータカバー(3)と内胴(20)の底部(23)とが上下に重ね合わせられたとき、内胴(20)の大及び小下ネジ挿通孔(2)(22)のそれぞれに対応する位置に、上ネジ挿通孔(31)が同径で形成されている。上ネジ挿通孔(31)は、固定ネジ(1)の頭部(10)の下端に形成されたフランジ部(11)よりも小径に形成されている（図２及び図３参照）。また、上ネジ挿通孔(31)の内周縁部には、バーリング加工によりヒータカバー(3)の下面から下方に凸の下立ち上がり部(31a)が形成されている。下立ち上がり部(31a)の内径は、固定ネジ(1)の軸部(12)よりも大径に形成されている。
また、既述したように、大下ネジ挿通孔(2)に対応する上ネジ挿通孔(31)の内周縁部に形成されている下立ち上がり部(31a)の外径は、上立ち上がり部(21)の内径よりも小径に形成されている。さらに、大下ネジ挿通孔(2)に対応する上ネジ挿通孔(31)の内周縁部に形成されている下立ち上がり部(31a)は、固定ネジ(1)の最終締付位置で、下端が内胴取付板(33)の上面に当接しない高さに形成されている。
【００２５】
次に、本実施の形態の炊飯器の組み立て工程について説明する。
図示しない固定ネジにより下枠部(42)に固定された内胴取付板(33)の上面に、図１に示すように、内胴(20)を載置し、さらに内胴(20)の底部(23)の上面に、底ヒータ(H)及びヒータカバー(3)を順に載置する。次いで、内胴取付板(33)の開口(33a)の周縁部に形成されたネジ孔(33b)と、内胴(20) の底部(23)の開口(20a)の周縁部に形成された大及び小下ネジ挿通孔(2)(22)と、ヒータカバー(3)の開口(3a)の周縁部に形成された上ネジ挿通孔(31)とが連通するように、内胴(20)及びヒータカバー(3)を周方向に所定位置まで回転させる。そして、上ネジ挿通孔(31)から固定ネジ(1)を挿通させていく。
【００２６】
上ネジ挿通孔(31)は固定ネジ(1)の軸部(12)よりも大径に形成されているが、小下ネジ挿通孔(22)は固定ネジ(1)の軸部(12)よりも小径に形成されているから、固定ネジ(1)の最終締付位置において、上ネジ挿通孔(31)に挿通された固定ネジ(1)の軸部(12)の下端は、図３に示すように、内胴(20)の底部(23)の小下ネジ挿通孔(22)の周縁部の上面に当接し、固定ネジ(1)の軸部(12)の下端で、内胴(20)の底部(23)の小下ネジ挿通孔(22)の周縁部が内胴取付板(33)に押圧される。言い換えれば、固定ネジ(1)の軸部(12)の下端と、内胴取付板(33)の上面との間に、小下ネジ挿通孔(22)の周縁部が挟持される態様となり、内胴(20)の底部(23)のうち小下ネジ挿通孔(22)の周縁部は、内胴取付板(33)に強固に固定される。この部分が、特定事項における内胴固定部であり、固定ネジ(1)のフランジ部(11)とヒータカバー(3)の上面の上ネジ挿通孔(31)の周縁との間に、隙間(S1)が形成されている。
【００２７】
一方、大下ネジ挿通孔(2)が形成されている箇所では、図２に示すように、固定ネジ(1)の軸部(12)は大下ネジ挿通孔(2)内に挿通され、固定ネジ(1)の最終締付位置において、固定ネジ(1)の軸部(12)の下端は内胴取付板(33)のネジ孔(33b)の周縁部の上面に当接する。このとき、固定ネジ(1)の軸部(12)の下端は、上記した内胴固定部のように、内胴(20)の底部(23)の上面に当接せずに、上記した隙間(S1)分、下方へ捻じ込まれる。
【００２８】
また、大下ネジ挿通孔(2)の内周縁部には、上方に凸の上立ち上がり部(21)が形成されているが、上立ち上がり部(21)は、固定ネジ(1)の最終締付位置で、上端がヒータカバー(3)の下面に当接しない高さに形成されており、上ネジ挿通孔(31)の内周縁部には、下方に凸の下立ち上がり部(31a)が形成されているが、下立ち上がり部(31a)は、固定ネジ(1)の最終締付位置で、下端が内胴取付板(33)の上面に当接しない高さに形成されているから、内胴(20)の底部(23)とヒータカバー(3)との間、及び、内胴取付板(33)とヒータカバー(3)との間にそれぞれ、図２に示すように、隙間(S2)(S3)が形成される。これにより、内胴(20)の底部(23)のうち、大下ネジ挿通孔(2)が形成されている箇所は、内胴取付板(33)に固定ネジ(1)によって固定されることのない特定事項における内胴非固定部が形成される。
【００２９】
上記実施の形態の炊飯器によれば、小下ネジ挿通孔(22)が形成されている箇所における内胴取付板(33)と、内胴(20)と、ヒータカバー(3)とは、固定ネジ(1)によって内胴(20)の底部(23)が内胴取付板(33)と強固に固定された内胴固定部となっているから、内胴(20)のがたつきを防止できる。また、この内胴固定部では、ヒータカバー(3)の下立ち上がり部(31a)の下端が内胴(20)の底部(23)の上面と当接しているから、ヒータカバー(3)のがたつきも少ない。
さらに、ヒータカバー(3)は底ヒータ(H)と離間して設けられているから、内胴(20)の底部(23)よりも熱変形は少ないものの、固定ネジ(1)に対して移動する可能性はある。しかしながら、図３に示す内胴固定部では、フランジ部(11)の下端と上ネジ挿通孔(31)の周縁部の上面との間に隙間(S1)が形成されているから、固定ネジ(1)とヒータカバー(3)との擦れ合いによる異常音の発生も防止できる。
【００３０】
一方、内胴(20)の底部(23)の上面に底ヒータ(H)が略接触状態に取り付けられている炊飯器では、熱変形による底部(23)の膨張・収縮度合いが内胴取付板(33)のそれと大きく異なる。このため、全ての締結箇所で固定ネジ(1)により内胴(20)と内胴取付板(33)とが強固に固定されていると、金属相互が強い摩擦力で擦れ合う異常音が発生しやすい。
【００３１】
しかしながら、上記実施の形態の炊飯器によれば、大下ネジ挿通孔(2)が形成されている箇所における内胴取付板(33)と、内胴(20)と、ヒータカバー(3)とは、固定ネジ(1)によって内胴(20)の底部(23)が内胴取付板(33)に固定されない内胴非固定部で締結されているから、内胴(20)の底部(23)が内胴取付板(33)に押圧されることがない。その結果、熱変形による底部(23)の膨張・収縮度合いが内胴取付板(33)のそれと大きく異なっていても、内胴取付板(33)に対して内胴(20)の底部(23)の移動が許容されるから、内胴(20)の底部(23)と内胴取付板(33)との擦れ合いによる異常音の発生を防止できる。
【００３２】
さらに、大下ネジ挿通孔(2)の内周縁部には上方に凸の上立ち上がり部(21)が形成され、上ネジ挿通孔(31)の内周縁部には下方に凸の下立ち上がり部(31a)が形成されているから、これらによって内胴非固定部における内胴(20)の底部(23)とヒータカバー(3)とを近接させることができる。その結果、内胴非固定部における内胴(20)の底部(23)とヒータカバー(3)との移動域を小さくできるから、内胴(20)とヒータカバー(3)のがたつきをより抑えることができる。
【００３３】
そして、本実施の形態の炊飯器によれば、いずれの締結箇所でも、上下方向における各ネジ孔(33b)の高さ、各上ネジ挿通孔(31)の高さを変更する必要がなく、内胴(20)の底部(23)に形成される下ネジ挿通孔のうち、１つを除いて大下ネジ挿通孔(2)に変更するだけであるから、内胴取付板(33)、内胴(20)、及びヒータカバー(3)を容易に製造できる。また、同一形状の固定ネジ(1)を使用できるから、組み立て工程において使用する固定ネジ(1)の選別をする必要もない。
【００３４】
従って、本実施の形態によれば、使用時において金属部品の擦れ合いによる異常音の発生し難く、部品のがたつきの少ない高品質の炊飯器を低コストで、簡易に製造できる。
【符号の説明】
【００３５】
(1) ・・・・・・・・・固定ネジ
(10)・・・・・・・・・頭部
(12)・・・・・・・・・軸部
(13)・・・・・・・・・ネジ軸部
(20)・・・・・・・・・内胴
(2) ・・・・・・・・・大下ネジ挿通孔
(22)・・・・・・・・・小下ネジ挿通孔
(23)・・・・・・・・・底部
(3) ・・・・・・・・・ヒータカバー
(31)・・・・・・・・・上ネジ挿通孔
(33)・・・・・・・・・内胴取付板
(33b) ・・・・・・・・ネジ孔
(H) ・・・・・・・・・底ヒータ
【図１】
2017217146.tif 000003
【図２】
2017217146.tif 000004
【図３】
2017217146.tif 000005
【図４】
2017217146.tif 000006
【図５】
2017217146.tif 000007